(57)【要約】      （修正有）【課題】計算量の増大を抑えながら蓄電池を効率よく利用することを可能にする技術を提供する。【解決手段】充放電を制御可能な蓄電池の運用を管理する蓄電池運用管理装置は。将来の前記蓄電池の蓄電量の推移の予定を示す蓄電量スケジュールを作成する蓄電量スケジュール計算部と、前記蓄電池の蓄電量の実績を示す蓄電量実績値を収集する蓄電池データ収集部と、現在の蓄電量実績値を前記蓄電量スケジュールと一致させるように前記蓄電池への充放電の指令値を決定する蓄電池指令計算部と、を有している。【選択図】図１
2017034738.tif 000002
【特許請求の範囲】
【請求項１】
充放電を制御可能な蓄電池の運用を管理する蓄電池運用管理装置であって。
将来の前記蓄電池の蓄電量の推移の予定を示す蓄電量スケジュールを作成する蓄電量スケジュール計算部と、
前記蓄電池の蓄電量の実績を示す蓄電量実績値を収集する蓄電池データ収集部と、
現在の蓄電量実績値を前記蓄電量スケジュールと一致させるように前記蓄電池への充放電の指令値を決定する蓄電池指令計算部と、を有する蓄電池運用管理装置。
【請求項２】
前記蓄電量スケジュール計算部は、
将来の予想される気温と過去における気温の実績と過去における負荷の実績とに基づき将来の負荷を予測し、
電気料金を抑えて前記将来の負荷を賄うように、将来の受電電力および前記蓄電池の充放電を遷移させる前記蓄電量スケジュールを作成する、
請求項１に記載の蓄電池運用管理装置。
【請求項３】
前記蓄電池が複数あり、
前記蓄電池指令計算部は、前記将来の受電電力が契約電力を超過する場合、前記受電電力から前記契約電力を減算した超過電力を、前記蓄電池のそれぞれに蓄電容量に応じて分配するように、前記各蓄電池への充放電の指令値を決定する、
請求項２に記載の蓄電池運用管理装置。
【請求項４】
前記蓄電池が複数あり、
前記蓄電池指令計算部は、前記将来の受電電力が契約電力を超過する場合、前記受電電力から前記契約電力を減算した超過電力を、前記蓄電池のそれぞれに蓄電池空き容量に応じて分配するように、前記各蓄電池への充放電の指令値を決定する、
請求項２に記載の蓄電池運用管理装置。
【請求項５】
前記蓄電池の出力上限および出力下限と、前記蓄電池の蓄電量上限および蓄電量下限と、が予め定められており、
前記蓄電量スケジュール計算部は、前記蓄電池の出力を前記出力下限以上前記出力上限以下の範囲とし、前記蓄電池の蓄電量を前記蓄電量下限以上前記蓄電量上限以下の範囲とするように、前記将来の受電電力および前記蓄電池の充放電を遷移させる前記蓄電量スケジュールを算出する、
請求項３または４に記載の蓄電池運用管理装置。
【請求項６】
前記蓄電量スケジュール計算部は、負荷を予測しようとする将来日の予想される最高気温との乖離が最も小さい最高気温の実績を有する過去日の負荷の実績を前記将来日の予測される負荷とする、
請求項２に記載の蓄電池運用管理装置。
【請求項７】
充放電を制御可能な蓄電池の運用を管理するための蓄電池運用管理方法であって。
蓄電量スケジュール計算手段が、将来の前記蓄電池の蓄電量の推移の予定を示す蓄電量スケジュールを作成し、
蓄電池データ収集手段が、前記蓄電池の蓄電量の実績を示す蓄電量実績値を収集し、
蓄電池指令計算手段が、現在の蓄電量実績値を前記蓄電量スケジュールと一致させるように前記蓄電池への充放電の指令値を決定する、蓄電池運用管理方法。
【請求項８】
前記蓄電量スケジュール計算手段は、
将来の予想される気温と過去における気温の実績と過去における負荷の実績とに基づき将来の負荷を予測し、
電気料金を抑えて前記将来の負荷を賄うように、将来の受電電力および前記蓄電池の充放電を遷移させる前記蓄電量スケジュールを作成する、
請求項７に記載の蓄電池運用管理方法。
【請求項９】
前記蓄電池が複数あり、
前記蓄電池指令計算手段は、前記将来の受電電力が前記契約電力を超過する場合、前記受電電力から契約電力を減算した超過電力を、前記蓄電池のそれぞれに蓄電容量に応じて分配するように、前記各蓄電池への充放電の指令値を決定する、
請求項８に記載の蓄電池運用管理方法。
【請求項１０】
前記蓄電池が複数あり、
前記蓄電池指令計算手段は、前記将来の受電電力が前記契約電力を超過する場合、前記受電電力から契約電力を減算した超過電力を、前記蓄電池のそれぞれに蓄電池空き容量に応じて分配するように、前記各蓄電池への充放電の指令値を決定する、
請求項８に記載の蓄電池運用管理方法。
【請求項１１】
前記蓄電池の出力上限および出力下限と、前記蓄電池の蓄電量上限および蓄電量下限と、が予め定められており、
前記蓄電量スケジュール計算手段は、前記蓄電池の出力を前記出力下限以上前記出力上限以下の範囲とし、前記蓄電池の蓄電量を前記蓄電量下限以上前記蓄電量上限以下の範囲とするように、前記将来の受電電力および前記蓄電池の充放電を遷移させる前記蓄電量スケジュールを算出する、
請求項９または１０に記載の蓄電池運用管理方法。
【請求項１２】
前記蓄電量スケジュール計算手段は、負荷を予測しようとする将来日の予想される最高気温との乖離が最も小さい最高気温の実績を有する過去日の負荷の実績を前記将来日の予測される負荷とする、
請求項８に記載の蓄電池運用管理方法。
【発明の詳細な説明】
【技術分野】
【０００１】
本発明は、蓄電および放電により電力供給を調整する蓄電池の運用管理を行う技術に関し、例えば、スマートグリッドにおける蓄電池の運用管理を行う技術に関する。
【背景技術】
【０００２】
近年の研究開発により蓄電池は大容量化および低価格化が進んでいる。今後ますます電力系統などの電力供給システムにおける蓄電池の利用が期待される。電気料金が安価な夜間の時間帯に蓄電池を充電し、昼間の時間帯に蓄電池から放電することにより、負荷による電力消費で生じる電気料金を削減することが可能である。我国においては、電力の制度改革が進みつつあり、今後更なる最適な蓄電池の利用に期待がかかる。
【０００３】
しかしながら、蓄電池を運用する場合には様々なロスが生じる。例えば、蓄電池と商用電源の間で直流電力と交流電力の変換を行うＰＣＳ（パワーコンディショニングシステム）では充電時にも放電時にもロスが生じ、電力供給の効率を低下させる。ＰＣＳ等の効率は単純な線形特性ではなく電力出力に伴って非線形に変化し、これを数式に表現するのは困難である。そのため、蓄電池の最適な充電および放電の計画を立て、その通りに蓄電池を運用したとしても、効率の誤差により蓄電量の実績は予想とずれてくる。
【０００４】
特許文献１に記載された技術では、計画と実績の偏差を監視し、偏差が一定以上になった段階で再計画を実施する。それにより蓄電池の計画と実績の偏差を一定範囲内に抑えられる。
【先行技術文献】
【特許文献】
【０００５】
【特許文献１】特開２０１４−９６９４６号公報
【発明の概要】
【発明が解決しようとする課題】
【０００６】
しかしながら、特許文献１に記載された技術によると、再計画を実施するか否かを判断するための偏差に対する閾値を小さい値に設定すると再計画が頻繁に実施されることになる。運用する蓄電池の数が多い場合などには、再計画の計算量が膨大となり、所定時間内に全ての計算が終了しない恐れがある。一方、閾値を大きな値に設定すると、蓄電量の計画と実績の間に大きな偏差を許容することとなり、蓄電池の容量を効率よく利用できない恐れがある。
【０００７】
本発明は、計算量の増大を抑えながら蓄電池を効率よく利用することを可能にする技術を提供することを目的とする。
【課題を解決するための手段】
【０００８】
本発明の一つの実施態様に従う蓄電池運用管理装置は、充放電を制御可能な蓄電池の運用を管理する蓄電池運用管理装置であって。将来の前記蓄電池の蓄電量の推移の予定を示す蓄電量スケジュールを作成する蓄電量スケジュール計算部と、前記蓄電池の蓄電量の実績を示す蓄電量実績値を収集する蓄電池データ収集部と、現在の蓄電量実績値を前記蓄電量スケジュールと一致させるように前記蓄電池への充放電の指令値を決定する蓄電池指令計算部と、を有している。
【発明の効果】
【０００９】
本発明によれば、蓄電池の実際の蓄電量を蓄電量スケジュールと一致させるように制御することにより、計算の負担を抑えながら蓄電池を効率よく利用することができる。
【図面の簡単な説明】
【００１０】
【図１】本実施形態による蓄電池運用管理装置の基本構成を示すブロック図である。
【図２】本実施形態による蓄電池運用管理装置の動作を示すフローチャートである。
【図３】本実施形態による蓄電池運用管理装置のハードウェア構成の一例を示すブロック図である。
【図４】本実施例による蓄電池運用管理装置のブロック図である。
【図５】本実施例による蓄電池運用管理装置の動作例を示すフローチャートである。
【図６】本実施例の蓄電池運用管理方法で運用した場合の蓄電池３０１の蓄電量と従来の運用方法で運用した場合の蓄電量との比較に用いる定数データを示す表である。
【図７】本実施例の蓄電池運用管理方法で運用した場合の蓄電池３０１の蓄電量と従来の運用方法で運用した場合の蓄電量との比較結果を示す表である。
【発明を実施するための形態】
【００１１】
本発明の実施形態について図面を参照して説明する。
【００１２】
図１は、本実施形態による蓄電池運用管理装置の基本構成を示すブロック図である。
【００１３】
電力系統３０５または蓄電池３０１から電力が電気機器３０４に供給される。蓄電池３０１は、充放電がを制御可能な蓄電装置である。蓄電池３０１は電力系統３０５からの電力を蓄積し、電気機器３０４に供給することができる。負荷情報源３０２は電気機器３０４の消費電力（負荷）を計測し、負荷情報として蓄電池運用管理装置１０に提供する。気象情報源３０３は、天候や気温などの予報および実績を含む気象情報を蓄電池運用管理装置１０に提供する。例えば、気象情報源３０３は気象情報を提供する機関により運営されるサーバである。
【００１４】
蓄電池運用管理装置１０は、充放電を制御可能な蓄電池３０１の運用を管理する装置であり、蓄電量スケジュール計算部２０２、蓄電池データ収集部２０３、および蓄電池指令計算部２０４を有している。
【００１５】
図２は、本実施形態による蓄電池運用管理装置の動作を示すフローチャートである。
【００１６】
蓄電量スケジュール計算部２０２は、将来の蓄電池３０１の蓄電量の推移の予定を示す蓄電量スケジュールを作成する（ステップＳ１０１）。蓄電池データ収集部２０３は、蓄電池３０１の蓄電量の実績を示す蓄電量実績値を収集する。蓄電池指令計算部２０４は、現在の蓄電量実績値を蓄電量スケジュールと一致させるように蓄電池３０１への充放電の指令値を決定する。蓄電池３０１の蓄電量を蓄電量スケジュールと一致させるように制御することにより、蓄電量の実績が計画からずれるのを抑制して蓄電量スケジュールの再計算の必要性を低下させることができるので、再計算の負担を抑えながら蓄電池３０１を効率よく利用することができる。
【００１７】
その際、蓄電量スケジュール計算部２０２は、将来の予想される気温と過去における気温の実績と過去における負荷の実績とに基づき将来の負荷を予測し、電気料金を抑えて将来の負荷を賄うように、将来の受電電力および蓄電池３０１の充放電を遷移させる蓄電量スケジュールを作成する。これによれば、負荷を予測しようとする将来時点と気温が近い過去のデータから将来の負荷を予測し、電気料金を抑えつつその負荷を賄うように蓄電量の予定を決定するので、気象条件に合った良好な蓄電量スケジュールを作成することができる。
【００１８】
より具体的には、蓄電量スケジュール計算部２０２は、負荷を予測しようとする将来日の予想される最高気温との乖離が最も小さい最高気温の実績を有する過去日の負荷の実績をその将来日の予測される負荷とする。予測しようとする日の負荷を求めるとき、情報を取得しやすい一日の最高気温を用い、最高気温が最も近い過去の日の負荷の実績を用いるので、簡易な計算で将来の負荷を予測することができる。
【００１９】
また、蓄電量スケジュール計算部２０２は、蓄電池３０１の出力上限および出力下限と、蓄電池３０１の蓄電量上限および蓄電量下限と、が予め定めておき、蓄電池３０１の出力を出力下限以上出力上限以下の範囲とし、蓄電池３０１の蓄電量を蓄電量下限以上蓄電池上限以下の範囲とするように、将来の受電電力および蓄電池３０１の充放電を遷移させる蓄電量スケジュールを算出することにしてもよい。
【００２０】
また、一例として、蓄電池指令計算部２０４は、将来の受電電力が契約電力を超過する場合、受電電力から契約電力を減算した超過電力を、蓄電池３０１のそれぞれに蓄電容量に応じて分配するように、各蓄電池３０１への充放電の指令値を決定することにしてもよい。受電電力が契約電力を超過すると高額の電気料金が発生するが、超過電力を複数の蓄電池３０１に蓄電容量に応じて分配するので、偏りなく複数の蓄電池３０１を利用して契約電力の超過を解消することができる。
【００２１】
また、他の例として、蓄電池指令計算部２０４は、将来の受電電力が契約電力を超過する場合、超過電力を、蓄電池３０１のそれぞれに蓄電池空き容量に応じて分配するように、各蓄電池３０１への充放電の指令値を決定することにしてもよい。この場合も、超過電力を複数の蓄電池３０１に蓄電池空き容量に応じて分配するので、複数の蓄電池３０１の充電状態が偏らないように契約電力の超過を解消することができる。
【００２２】
図３は、本実施形態による蓄電池運用管理装置のハードウェア構成の一例を示すブロック図である。蓄電池運用管理装置１０は、プロセッサ（ＣＰＵ）１、記憶装置（ＭＥＭ）２、外部インタフェース（Ｉ／Ｆ）３、および入出力装置（Ｉ／Ｏ）４を有している。記憶装置２には、蓄電池運用管理装置１０の各部が実行する処理を規定したソフトウェアプログラムが格納されている。プロセッサ１がそのソフトウェアプログラムを記憶装置２から読み出して実行することにより、図１に示した蓄電池運用管理装置１０の各部が実現される。その際、入出力装置４にてユーザによる操作入力を受け付け、また、入出力装置４による画面表示や音声出力でユーザに情報を出力する。また、プロセッサ１は、各処理に際し、外部インタフェース３を通じて、気象情報源３０３、負荷情報源３０２、蓄電池３０１、および電力系統３０５と適宜通信する。
【実施例】
【００２３】
以下、より具体的な実施例について説明する。
【００２４】
図４は、本実施例による蓄電池運用管理装置のブロック図である。図１を参照すると、蓄電池運用管理装置１０は、予想データ収集部２００、実績データ収集部２０１、予想データ記憶部１００、実績データ記憶部１０１、契約電力記憶部１０３、蓄電量スケジュール計算部２０２、機器データ記憶部１０２、蓄電量スケジュールデータ記憶部１０４、蓄電池データ収集部２０３、蓄電池指令計算部２０４、蓄電池出力蓄電量記憶部１０５、蓄電池指令記憶部１０６、および蓄電池指令送信部２０５を有している。
【００２５】
予想データ収集部２００、実績データ収集部２０１、蓄電量スケジュール計算部２０２、蓄電池データ収集部２０３、蓄電池指令計算部２０４、および蓄電池指令送信部２０５は、図３に示したプロセッサ１が記憶装置２に記録されたソフトウェアプログラムを実行することにより実現される。
【００２６】
予想データ記憶部１００、実績データ記憶部１０１、契約電力記憶部１０３、機器データ記憶部１０２、蓄電量スケジュールデータ記憶部１０４、蓄電池出力蓄電量記憶部１０５、および蓄電池指令記憶部１０６は図３に示した記憶装置２上に構成される記憶領域である。
【００２７】
予想データ収集部２００は、最高気温の予想データを収集し、予想データ記憶部１００に最高気温の予想データを記録する。
【００２８】
実績データ収集部２０１は、気温と負荷の実績データを収集し、実績データ記憶部１０１に気温と負荷の実績データを記録する。
【００２９】
機器データ記憶部１０２は、蓄電池３０１の出力上下限と蓄電池３０１の蓄電量上下限と蓄電池３０１の充放電効率の定数データを予め記憶している。
【００３０】
契約電力記憶部１０３は、契約電力の定数データを予め記憶している。
【００３１】
蓄電量スケジュール計算部２０２は、予想データ記憶部１００に記憶された最高気温の予想データと実績データ記憶部１０１に記憶された気温と負荷の実績データに基づき、負荷を予測する。更に、蓄電量スケジュール計算部２０２は、機器データ記憶部１０２に記憶された蓄電池３０１の出力上下限と蓄電池３０１の蓄電量上下限と蓄電池３０１の充放電効率の定数データと、契約電力記憶部１０３に記憶された契約電力の定数データとに基づき、蓄電池３０１の蓄電量スケジュールを計算し、蓄電量スケジュールデータ記憶部１０４に蓄電量スケジュールのデータを記録する。
【００３２】
蓄電池データ収集部２０３は、蓄電池３０１の出力と蓄電量の実績データを収集し、蓄電池出力蓄電量記憶部１０５に蓄電池３０１の出力と蓄電量の実績データを記録する。
【００３３】
蓄電池指令計算部２０４は、実績データ記憶部１０１に記憶された受電電力の実績データと、機器データ記憶部１０２に記憶された蓄電池３０１の出力上下限と蓄電池３０１の蓄電量上下限と蓄電池３０１の充放電効率の定数データと、契約電力記憶部１０３に記憶された契約電力の定数データと、蓄電量スケジュールデータ記憶部１０４に記憶された蓄電量スケジュールのデータと、蓄電池出力蓄電量記憶部１０５に記憶された蓄電池３０１の出力と蓄電量の実績データに基づき、各蓄電池３０１へ充電あるいは放電を指示する蓄電池指令値を計算し、蓄電池指令記憶部１０６に蓄電池指令データを記録する。
【００３４】
蓄電池指令送信部２０５は。蓄電池指令記憶部１０６に記憶された蓄電池指令値を各蓄電池３０１に指令する。
【００３５】
図５は、本実施例による蓄電池運用管理装置の動作例を示すフローチャートである。
【００３６】
図５参照すると、予想データ収集部２００が最高気温等の気象予想データを収集し、予想データ記憶部１００に登録する（ステップＳ２０１）。予想データ記憶部１００は、最高気温等の気象予想データを記録する。
【００３７】
また、実績データ収集部２０１は、気温等の気象実績データ、負荷、および受電電力を含む電力系統実績データを収集し、実績データ記憶部１０１に登録する（ステップＳ２０２）。実績データ記憶部１０１は、気温等の気象実績データ、負荷、受電電力等の電力系統実績データを記憶する。
【００３８】
次に、蓄電量スケジュール計算部２０２は、予想データ記憶部１００の気象予想データに基づき、実績データ記憶部１０１の負荷の実績データの中から乖離度が最も小さい日の実績データを検索し、検索で得られた負荷の実績データを負荷の予想データとし、契約電力が最小となるよう蓄電池充放電出力スケジュールを計算し、その結果を蓄電量のデータに変換することにより蓄電量スケジュールのデータを生成し、蓄電量スケジュールデータ記憶部１０４に登録する（ステップＳ２０３）。
【００３９】
ここで蓄電池充放電出力スケジュールは、各蓄電池３０１の充放電する電力のスケジュールである。出力は放電の場合には正の値となり、充電の場合には負の値となる。
【００４０】
また、ここで乖離度は、式（１）で求めることができる。
乖離度＝（（実績データの最高気温）−（予想データの最高気温））２  …(1)
【００４１】
充電についてスケジュールを作成する際、蓄電量スケジュール計算部２０２は、電気料金が割安な深夜の時間帯において、予想される負荷と充電電力の合計が契約電力を超過しない範囲での充電を計画し、複数の蓄電池３０１へ予め定められた優先順位で充電を行うように各蓄電池３０１の蓄電池充電出力スケジュールを作成する。放電についてスケジュールを作成する際、蓄電量スケジュール計算部２０２は、電気料金が割高な昼間の時間帯において、受電電力が契約電力以下の一定値α以下となるように放電を計画し、全体での蓄電池合計放電スケジュールを作成する。更に、蓄電量スケジュール計算部２０２は、複数の蓄電池３０１が予め定められた優先順位で放電を行うように各蓄電池３０１の蓄電池放電出力スケジュールを作成する。
【００４２】
全体での蓄電池放電スケジュールは式（２）（３）を満たすように作成される。
【００４３】
【数１】
2017034738.tif 000003
【００４４】
また、蓄電量スケジュール計算部２０２は、上記で求めた蓄電池充電出力スケジュールおよび蓄電池放電出力スケジュールを以下の式（４）（５）により蓄電量スケジュールに変換する。
＜充電時＞
蓄電量スケジュール（i,t）
＝蓄電量スケジュール（i,t-1）＋充電スケジュール（i,t）×充電効率(i)  …(4)
＜放電時＞
蓄電量スケジュール（i,t）
＝蓄電量スケジュール（i,t-1）−放電スケジュール（i,t）／放電効率(i)  …(5)
【００４５】
ここで、i=1〜N、t=1〜Tである。Nは蓄電池台数であり、Tはスケジュール計算時間数であり、T1は昼間時間帯開始時間であり、T2は昼間時間帯終了時間である。
【００４６】
図５に戻り、次に、蓄電池データ収集部２０３は、蓄電池３０１の出力および蓄電量等の蓄電池３０１の実績データを収集し、蓄電池出力蓄電量記憶部１０５に登録する（ステップＳ２０４）。
【００４７】
次に、蓄電池指令計算部２０４は、各蓄電池３０１への指令を作成し、蓄電池指令記憶部１０６に登録する（ステップＳ２０５）。その際、蓄電池指令計算部２０４は、実績データ記憶部１０１の受電電力実績データと契約電力記憶部１０３の契約電力定数データに基づき、式（６）に基づき受電電力が契約電力を超過していないか判断する。
超過電力＝受電電力−契約電力  …(6)
【００４８】
受電電力が契約電力を超過している場合、蓄電池指令計算部２０４は、超過電力を各蓄電池３０１に分配し、蓄電池３０１の放電により超過電力を賄う。超過電力の蓄電池３０１への分配方法の例として、式（７）を用いる方法と、式（８）を用いる方法がある。式（７）は各蓄電池３０１にその蓄電容量に比例して超過電力を分配する。式（８）は各蓄電池３０１にその空き容量に比例して超過電力を分配する。
【００４９】
蓄電池指令計算部２０４は、例えば、機器データ記憶部１０２の蓄電量上限定数データと蓄電池出力蓄電量記憶部１０５の蓄電量実績データに基づき、蓄電量上限から蓄電量を減算して蓄電池３０１の空き容量を計算し、その空き容量に比例して超過電力を分配すればよい。
【００５０】
＜蓄電容量を基に分配＞
蓄電池指令値（i）＝超過電力×蓄電容量（i）/蓄電容量合計  …(7)
＜蓄電空き容量を基に分配＞
蓄電池指令値（i）＝超過電力×蓄電池空き容量（i）/蓄電池空き容量合計  …(8)
【００５１】
ここで、i=1〜Nであり、Nは蓄電池の台数である。
【００５２】
ただし、式（７）、（８）を用いた計算では、出力が出力上限を超過することになる蓄電池３０１が存在した場合、蓄電池指令計算部２０４は、超過電力から当該蓄電池３０１の出力上限を減算し、当該蓄電池３０１を除いて再度、分配の計算を行う。そして、蓄電池指令計算部２０４は、出力が出力上限を超過する蓄電池３０１が無くなるまで繰り返す。これにより、蓄電池指令値を算出し、蓄電池指令記憶部１０６に登録する。なお、式（７）、（８）にて出力が出力上限を超過し、計算から除外された蓄電池３０１への指令値は蓄電池３０１の出力上限である。
【００５３】
一方、受電電力が契約電力を超過していない場合、蓄電池指令計算部２０４は、機器データ記憶部１０２の充放電効率定数データと、蓄電量スケジュールデータ記憶部１０４の蓄電量スケジュールデータと、蓄電池出力蓄電量記憶部１０５の蓄電量の実績データとに基づき、式（９）および（式１０）を用いて各蓄電池３０１への指令値を作成し、指令値データを蓄電池指令記憶部１０６に登録する。
＜充電時＞
指令値（i）
＝｛蓄電量スケジュール（i,t+1）−現在蓄電量（i）｝／充電効率（i,t）  …(9)
＜放電時＞
蓄電池指令値（i）
＝｛現在蓄電量（i,t）−蓄電量スケジュール（i,t+1）｝×放電効率（i）  …(10)
【００５４】
ここで、i=1〜Nであり、Nは蓄電池台数でり、tは現在時刻である。
【００５５】
蓄電池指令送信部２０５は、蓄電池指令記憶部１０６に格納された各蓄電池３０１への指令データを収集し、各蓄電池３０１に指令を送信する（ステップＳ２０６）。
【００５６】
次に、本実施例による蓄電池運用管理方法による蓄電池３０１の運用の改善について説明する。
【００５７】
図６は、本実施例の蓄電池運用管理方法で運用した場合の蓄電池３０１の蓄電量と従来の運用方法で運用した場合の蓄電量との比較に用いる定数データを示す表である。図７は、本実施例の蓄電池運用管理方法で運用した場合の蓄電池３０１の蓄電量と従来の運用方法で運用した場合の蓄電量との比較結果を示す表である。
【００５８】
図６に示すように、蓄電池Ａ、Ｂの２つの蓄電池３０１がある。蓄電池Ａは、出力上下限が３００［Ｗ］、−３００［Ｗ］であり、容量上限が１６２０［Ｗｈ］である。また、ここでは蓄電池Ａは、実際（真値）の充電効率が９０％であり放電効率が８９％であり、演算に用いる充電効率９０％であり放電効率が９０％であるとする。放電効率に誤差がある。蓄電池Ｂは、出力上下限が２００［Ｗ］、−２００［Ｗ］であり、容量上限が１０８０［Ｗｈ］である。また、ここでは蓄電池Ａは、実際（真値）の充電効率が９０％であり放電効率９１％であり、演算に用いる充電効率９０％であり放電効率が９０％であるとする。やはり放電効率に誤差がある。
【００５９】
またここでは契約電力は１２００｛Ｗ｝とし、本実施例では契約電力の超過はないものとする。従来方法では、蓄電量の計画と実績の偏差が閾値を超えると蓄電量スケジュールの再計算を行うものとし、その閾値を蓄電容量の１０％とする。
【００６０】
上記条件により本実施例による蓄電池運用管理方法と従来方法とで蓄電池Ａ、Ｂを運用すると、図７に示すような運用結果となる。
【００６１】
図７を参照すると、蓄電池Ａは途中で蓄電量が負の値となっている。これは計画の誤差により蓄電量が足りなくなってしまったことを意味する。また、蓄電池Ｂは蓄電量を使い切る計画であったが、１１．８７［Ｗｈ］だけ残っている。これは計画の誤差により使われない蓄電量が生じたことを意味する。
【００６２】
一方、本実施例による蓄電池運用管理方法では、蓄電池Ａ、Ｂともに蓄電量を使い切りかつ不足も生じていないことが分かる。
【００６３】
よって、本計算結果より、本実施例により蓄電池Ａ、Ｂを最大容量まで無駄なく使い切る無駄のない運用を実現していることがわかる。
【００６４】
以上、本実施形態および実施例について説明したが、本発明がこれらに限定されることはない。当業者は、本発明の要旨を逸脱することなしに、他の様々な態様で本発明を実施することができる。
【００６５】
本実施形態および本実施例では、図３に示したような単体の計算機で蓄電池運用管理装置１０を構成する例を示したが、複数の計算機に機能が分割配置されてもよい。
【００６６】
本実施形態および実施例の蓄電池運用管理装置１０は、プロセッサ１がソフトウェアプログラムを実行することにより実現される例を示したが、本発明がこれに限定されることはない。他の例として、図１あるいは図４に示した各部がハードウェアにより実現される構成も可能である。
【符号の説明】
【００６７】
１…プロセッサ、１０…蓄電池運用管理装置、１００…予想データ記憶部、１０１…実績データ記憶部、１０２…機器データ記憶部、１０３…契約電力記憶部、１０４…蓄電量スケジュールデータ記憶部、１０５…蓄電池出力蓄電量記憶部、１０６…蓄電池指令記憶部、２…記憶装置、２００…予想データ収集部、２０１…実績データ収集部、２０２…蓄電量スケジュール計算部、２０３…蓄電量データ収集部、２０４…蓄電池指令計算部、２０５…蓄電池指令送信部、３…外部インタフェース、３０１…蓄電池、３０２…負荷情報源、３０３…気象情報源、３０４…電気機器、３０５…電力系統、４…入出力装置、９０…充電効率、９１…放電効率
【図１】
2017034738.tif 000004
【図２】
2017034738.tif 000005
【図３】
2017034738.tif 000006
【図４】
2017034738.tif 000007
【図５】
2017034738.tif 000008
【図６】
2017034738.tif 000009
【図７】
2017034738.tif 000010